(57)【要約】【課題】一次光源交換の作業性が良好で、一次光源や導光体に外部液体がかかるのを防止する。【解決手段】導光板２の端面に隣接して配置された直管型ランプから導光板２へと入射した光を光出射面２ｂから出射させる。導光板２の周縁部を覆う枠体１４は、第１枠体部分１４Ａと第２枠体部分１４Ｂとに分割されている。枠体１４の上辺部分及び左右両辺部分にて、第２枠体部分１４Ｂには、内部空間１４ｓ内にて第１枠体部分１４Ａと第２枠体部分１４Ｂとの分割部分に沿って延びる樋を形成するための樋部材４０が取り付けられている。第１枠体部分１４Ａには、樋部材４０に当接することで樋をシールするシール部材４２が付設されている。枠体１４の下辺部分には内部空間１４ｓ内の液体を排出するための排液開口が形成されている。【選択図】  図２
2004335198.tif 000002
【特許請求の範囲】
【請求項１】
導光板と、該導光板の少なくとも一つの端面に隣接して配置された一次光源とを備えており、前記一次光源から発せられ前記端面から前記導光板に入射せしめられた光を該導光板の一方の主面たる光出射面から出射させる面光源装置であって、
前記導光板の周縁部を覆う様に配置された枠体が設けられており、該枠体には前記導光板の周縁部に沿って延びる内部空間が形成されており、該内部空間には前記一次光源が配置されており、
前記枠体は、前記導光板の板厚方向に関して、前記導光板の光出射面の側に位置する第１の枠体部分と前記導光板の他方の主面たる裏面の側に位置する第２の枠体部分とに分割されており、前記第１の枠体部分及び前記第２の枠体部分のうちの少なくとも一方は前記導光板に対して移動可能とされており、
前記枠体には前記内部空間内にて前記第１の枠体部分と前記第２の枠体部分との分割部分に沿って延びる樋を形成するための樋部材が設けられており、前記枠体の下辺部分には前記内部空間内の液体を排出するための排液開口が形成されていることを特徴とする面光源装置。
【請求項２】
前記樋部材は、前記枠体の外側周壁の内面に近接または当接するように取り付けられており、外方に向け凹の断面形状の溝を有することを特徴とする、請求項１に記載の面光源装置。
【請求項３】
前記樋部材は前記第１の枠体部分及び前記第２の枠体部分のうちの１つに取り付けられていることを特徴とする、請求項１〜２のいずれかに記載の面光源装置。
【請求項４】
前記第１の枠体部分及び前記第２の枠体部分のうちの他の１つには前記樋部材に当接することで前記樋をシールするシール部材が付設されていることを特徴とする、請求項３に記載の面光源装置。
【請求項５】
前記樋部材は少なくとも前記枠体の上辺部分に形成されていることを特徴とする、請求項１〜４のいずれかに記載の面光源装置。
【請求項６】
前記樋部材は前記枠体の左右両辺部分の少なくとも一方に形成されていることを特徴とする、請求項５に記載の面光源装置。
【請求項７】
前記排液開口は前記枠体の前記樋部材に近接する位置に形成されていることを特徴とする、請求項１〜６のいずれかに記載の面光源装置。
【請求項８】
前記第１の枠体部分及び前記第２の枠体部分は、一方が前記導光板に対して移動可能とされており、他方が前記導光板及び前記一次光源に対して固定配置されており、且つ互いに着脱可能とされていることを特徴とする、請求項１〜７のいずれかに記載の面光源装置。
【請求項９】
前記内部空間には前記一次光源から発せられる光を反射して前記導光体の端面へと導くレフレクタが前記一次光源の周囲に配置されており、前記レフレクタは、前記導光板の板厚方向に関して、前記導光板の光出射面の側に位置する第１のレフレクタ部分と前記裏面の側に位置する第２のレフレクタ部分とに分割されており、前記第１のレフレクタ部分及び前記第２のレフレクタ部分のうちの少なくとも一方は前記導光板に対して移動可能とされていることを特徴とする、請求項１〜８のいずれかに記載の面光源装置。
【請求項１０】
前記一次光源は該一次光源が対向する前記導光板の端面及び前記導光板の光出射面の双方に沿った方向に延在する直管型のランプであり、前記レフレクタは前記一次光源の延在方向に沿って延びていることを特徴とする、請求項９に記載の面光源装置。
【請求項１１】
前記第１の枠体部分は前記第１のレフレクタ部分を支持しており、前記第２の枠体部分は前記第２のレフレクタ部分を支持していることを特徴とする、請求項９〜１０のいずれかに記載の面光源装置。
【請求項１２】
前記第１の枠体部分は前記導光板の光出射面の前方にて光透過性表示板を保持するための保持手段を備えていることを特徴とする、請求項１〜１１のいずれかに記載の面光源装置。
【請求項１３】
前記保持手段は、前記第１の枠体部分に取り付けられ且つ前記導光板の光出射面の前方に配置された透明保護板を備えていることを特徴とする、請求項１２に記載の面光源装置。
【請求項１４】
請求項１２〜１３のいずれかに記載の面光源装置と、その前記保持手段に保持された前記光透過性表示板とを備えていることを特徴とする表示装置。
【請求項１５】
前記光透過性表示板は前記透明保護板より前記導光板に近い位置に配置されていることを特徴とする、請求項１４に記載の表示装置。
【発明の詳細な説明】
【０００１】
【発明の属する技術分野】
本発明は、背面照明のための光源として使用される面光源装置に関するものである。この装置は、例えば、標示板や広告板などの表示装置の背面照明手段として利用することができる。
【０００２】
【従来の技術及び発明が解決しようとする課題】
従来、標示板や広告板としては、夜間あるいは室内や地下通路等の暗所での標示や広告の効果を確保するために、所要の光透過性表示画像を担持した表示板の背面側に照明光源を配置したものが使用されている。この照明光源としては、古くは複数の蛍光ランプを並列配置し、その前側即ち表示板の側に光拡散板を配置してなる面光源装置が使用されていたが、個々のランプから発せられる光の強度分布の影響が光拡散板を経た後にも残り、また面光源装置の厚さが厚くなるという難点があった。そこで、この様な用途に使用される比較的大型（例えば、一辺１ｍ以上）の標示板や広告板のための面光源装置として、表示板と同等の外形寸法の導光板の少なくとも１つの端面（光入射端面）に隣接して蛍光ランプ等の一次光源を配置し、該一次光源からの光を導光体内へと導入し、導光させ、該導光体の前面（光出射面）から光を出射させる、所謂エッジライト型の面光源装置が利用される様になっている。
【０００３】
エッジライト型の面光源装置では、少ない数の一次光源が使用され、通常、矩形状導光板の１つの辺または互いに平行な２つの辺に対応する位置に一次光源が配置されるのが典型的であり、このため、面光源装置としての輝度向上のためには、一次光源から発せられる光をできるだけ高い効率で導光板内へと導入することが要求される。また、軽量化及び低コスト化のために導光板として次第に薄型のものが使用される様になっている。このため、一次光源から発せられる光を導光板端面から導光板内へと可能な限り高い効率で導入することが、重要である。従って、一次光源の周囲にレフレクタを配置して、光源から発せられた光のうちで直接導光板の光入射端面へと向かう光以外の光を、該レフレクタにより反射させて光入射端面の方へと向かわせることがなされている。
【０００４】
以上のようなエッジライト型の面光源装置を屋外において使用する場合には、雨水等の外部液体に対する対処が重要である。即ち、一次光源として使用される蛍光ランプやＬＥＤ等の電気部品に対する防水はもちろんのことであるが、アクリル系樹脂等の合成樹脂からなる導光板に液体が付着するとその光学的性能が低下して面光源装置の輝度分布均一性の低下をもたらすので、導光板に対する防水も重要な技術的課題である。
【０００５】
一方、エッジライト型の面光源装置では、上記の様に、使用する一次光源の数が比較的少ないので、該一次光源のうちのいずれかが故障すると輝度分布の均一性が著しく低下し、標示や広告に与える影響は甚大なものとなる。従って、その場合には、直ちに一次光源を交換する必要がある。このため、導光板の周縁部並びにそれに隣接してその外方に配置される一次光源及び安定器などの電気部品の防水のために、それらを覆う様に枠体を配置したとしても、上記の様な一次光源の交換の必要性から枠体は分割可能なものとせざるを得ない。この分割部分に対して防水材を強固に固着すれば、防水性の点では向上するが、一次光源交換の際の剥離及び交換後の再固着の面倒な作業が必要となり作業性が低下する。
【０００６】
そこで、本発明は、一次光源交換の作業が容易で、一次光源等の電気部品や導光体等の光学部品に外部液体がかかるのを防止し、エッジライト型面光源装置及びそれを用いた表示装置の屋外での長期にわたる使用を可能にすることを目的とする。
【０００７】
【課題を解決するための手段】
本発明によれば、以上の如き目的を達成するものとして、
導光板と、該導光板の少なくとも一つの端面に隣接して配置された一次光源とを備えており、前記一次光源から発せられ前記端面から前記導光板に入射せしめられた光を該導光板の一方の主面たる光出射面から出射させる面光源装置であって、
前記導光板の周縁部を覆う様に配置された枠体が設けられており、該枠体には前記導光板の周縁部に沿って延びる内部空間が形成されており、該内部空間には前記一次光源が配置されており、
前記枠体は、前記導光板の板厚方向に関して、前記導光板の光出射面の側に位置する第１の枠体部分と前記導光板の他方の主面たる裏面の側に位置する第２の枠体部分とに分割されており、前記第１の枠体部分及び前記第２の枠体部分のうちの少なくとも一方は前記導光板に対して移動可能とされており、
前記枠体には前記内部空間内にて前記第１の枠体部分と前記第２の枠体部分との分割部分に沿って延びる樋を形成するための樋部材が設けられており、前記枠体の下辺部分には前記内部空間内の液体を排出するための排液開口が形成されていることを特徴とする面光源装置、
が提供される。
本発明の一態様においては、前記樋部材は、前記枠体の外側周壁の内面に近接または当接するように取り付けられており、外方に向け凹の断面形状の溝を有する。本発明の一態様においては、前記樋部材は前記第１の枠体部分及び前記第２の枠体部分のうちの１つに取り付けられている。本発明の一態様においては、前記第１の枠体部分及び前記第２の枠体部分のうちの他の１つには前記樋部材に当接することで前記樋をシールするシール部材が付設されている。
本発明の一態様においては、前記樋部材は少なくとも前記枠体の上辺部分に形成されている。本発明の一態様においては、前記樋部材は前記枠体の左右両辺部分の少なくとも一方に形成されている。
【０００８】
本発明の一態様においては、前記排液開口は前記枠体の前記樋部材に近接する位置に形成されている。本発明の一態様においては、前記第１の枠体部分及び前記第２の枠体部分は、一方が前記導光板に対して移動可能とされており、他方が前記導光板及び前記一次光源に対して固定配置されており、且つ互いに着脱可能とされている。
【０００９】
本発明の一態様においては、前記内部空間には前記一次光源から発せられる光を反射して前記導光体の端面へと導くレフレクタが前記一次光源の周囲に配置されており、前記レフレクタは、前記導光板の板厚方向に関して、前記導光板の光出射面の側に位置する第１のレフレクタ部分と前記裏面の側に位置する第２のレフレクタ部分とに分割されており、前記第１のレフレクタ部分及び前記第２のレフレクタ部分のうちの少なくとも一方は前記導光板に対して移動可能とされている。本発明の一態様においては、前記一次光源は該一次光源が対向する前記導光板の端面及び前記導光板の光出射面の双方に沿った方向に延在する直管型のランプであり、前記レフレクタは前記一次光源の延在方向に沿って延びている。本発明の一態様においては、前記第１の枠体部分は前記第１のレフレクタ部分を支持しており、前記第２の枠体部分は前記第２のレフレクタ部分を支持している。
本発明の一態様においては、前記第１の枠体部分は前記導光板の光出射面の前方にて光透過性表示板を保持するための保持手段を備えている。本発明の一態様においては、前記保持手段は、前記第１の枠体部分に取り付けられ且つ前記導光板の光出射面の前方に配置された透明保護板を備えている。
【００１０】
そして、本発明によれば、このような面光源装置と、その前記保持手段に保持された前記光透過性表示板とを備えていることを特徴とする表示装置、が提供される。本発明の一態様においては、前記光透過性表示板は前記透明保護板より前記導光板に近い位置に配置されている。
【００１１】
【発明の実施の形態】
以下、本発明の実施の形態を、図面を参照しながら説明する。
【００１２】
図１は本発明による面光源装置の一実施形態を示す一部省略正面図（ａ）及び側面図（ｂ）であり、図２、図３、図４、図５及び図６はそれぞれその正面中央縦断面図、部分横断面図、部分分解横断面図、一部省略正面図及び部分拡大斜視図である。
【００１３】
これらの図において、特に図３、図４及び図５に最もよく示されている様に、正面から見た形状が矩形状の導光板２の左辺部分及び右辺部分の端面に隣接して一次光源４が配置されている。導光板２は、一次光源４が対向する端面が光入射端面２ａとされており、２つの主面のうちの一方の主面である正面が光出射面２ｂとされている。また、導光板２の光出射面２ｂ上には光拡散板６が配置されており、導光板２の２つの主面のうちの他方の主面である裏面２ｃ上には光反射面部材８が配置されている。導光板２は、例えば厚さ８ｍｍ程度で幅１４８０ｍｍ程度で高さ１０５０ｍｍ程度の寸法の透明アクリル系樹脂板からなる。光拡散板６は、例えば光拡散性粒子（酸化チタン粒子等）を含有する厚さ２ｍｍ程度のアクリル系樹脂板からなる。光反射面部材８としては、例えば金属蒸着反射層を有するプラスチックフィルムをアルミニウム遮光板により担持したものを使用することができ、これを両面粘着シートにより導光板２に接合することができる。一次光源４は、例えば蛍光ランプまたは冷陰極管等の直管型のものであり、導光板光入射端面２ａ及び導光板光出射面２ｂの双方に沿った方向に延在している。
【００１４】
一次光源４の周囲には、該一次光源から発せられる光を反射して導光板２の光入射端面２ａへと導くように配置されたレフレクタ１２が配置されている。該レフレクタ１２は、一次光源４の延在方向に沿って延びており、導光板２の板厚方向に、導光板２の光出射面２ｂの側に位置する第１のレフレクタ部分１２Ａと、導光板２の裏面２ｃの側に位置する第２のレフレクタ部分１２Ｂとに分割されている。レフレクタ部分の内方端縁（即ち導光板２に近い方の端縁）の位置は、特に限定されるものではないが、本実施形態のように、第１のレフレクタ部分１２Ａの内方端縁は光拡散板６の端縁上へと延びており、第２のレフレクタ部分１２Ｂの内方端縁は光反射面部材８の端縁上へと延びていることが好ましい。第１のレフレクタ部分１２Ａの外方端縁（即ち導光板２から遠い方の端縁）と第２のレフレクタ部分１２Ｂの外方端縁とは、レフレクタからの光の漏れを防ぐために、例えば重なり合う様に構成されていることが好ましい。レフレクタ１２としては、例えば金属蒸着反射層を有するプラスチックフィルムをアルミニウム遮光板により担持したものを使用することができる。
【００１５】
本実施形態では、導光板２の周縁部を覆う矩形環状の枠体１４が設けられている。該枠体１４には導光板２の周縁部に沿って延びている内部空間１４ｓが形成されており、該内部空間１４ｓ内に一次光源４及びレフレクタ１２が配置されている。枠体１４は、導光板２の板厚方向に、導光板２の光出射面２ｃの側に位置する第１の枠体部分１４Ａと導光板２の裏面２ｃの側に位置する第２の枠体部分１４Ｂとに分割されている。そして、特に図４に示されているように、第１の枠体部分１４Ａは、第１のレフレクタ部分１２Ａを支持しており、第２の枠体部分１４Ｂは第２のレフレクタ部分１２Ｂを支持している。これらの支持は、両面粘着シートによる接合を用いて行うことができる。第１の枠体部分１４Ａには、光拡散板６の前側に該光拡散板６を覆う様に配置された透明保護板１６を支持するための支持部１８が設けられている。透明保護板１６は、例えば厚さ２ｍｍ程度の透明アクリル系樹脂板からなる。
【００１６】
図２及び図５に示されている様に、第２の枠体部分１４Ｂの上辺部分には適宜の位置に第１の枠体部分１４Ａの上辺部分に対する係合のための係合凹部１４Ｂ１が形成されており、これに対応して第１の枠体部分１４Ａの上辺部分には係合凹部１４Ｂ１と係合する係合凸部１４Ａ１が形成されている。また、第２の枠体部分１４Ｂの下辺部分には適宜の位置に第１の枠体部分１４Ａの下辺部分に対する係合のための係合フック２４が付設されており、これに対応して第１の枠体部分１４Ａの下辺部分には係合フック２４と係合する係合突起（不図示）が付設されている。これらの係合手段により第１の枠体部分１４Ａと第２の枠体部分１４Ｂとが着脱可能に係合されている。
【００１７】
図１に示されている様に、枠体１４の外形寸法は、例えば、幅Ｗ１が１６００ｍｍ程度であり、高さＨ１が１１８０ｍｍ程度であり、厚さＴが４０ｍｍ程度である。また、第１の枠体部分１４により覆われない導光板２の光出射面２ｂの領域［有効面］の寸法は、例えば幅Ｗ２が１４６０ｍｍ程度であり、高さＨ２が１０３０ｍｍ程度である。
【００１８】
第１の枠体部分１４Ａを取り外した状態を示す図５に示されている様に、第２の枠体部分１４Ｂの内部には、導光板２、光拡散板６及び光反射面部材８からなる重畳体を固定支持する固定具１４Ｂ３及び一次光源４のソケットを固定支持するための固定具１４Ｂ４が配置されている。また、図３及び図４に示されている様に、第２のレフレクタ部分１２Ｂの内方端縁は、第２の枠体部分１４Ｂと、導光板２、光拡散板６及び光反射面部材８からなる重畳体との間に挟まれている。即ち、第２の枠体部分１４Ｂは、導光板２、光拡散板６及び光反射面部材８からなる重畳体、一次光源４及び第２のレフレクタ部分１２に対して固定配置されている。
【００１９】
一方、第１のレフレクタ部分１２Ａの内方端縁は、第１の枠体部分１４Ａに取り付けられている。従って、第１の枠体部分１４Ａ及び第１のレフレクタ部分１２Ａは、一体的に、上記導光板２、光拡散板６及び光反射面部材８からなる重畳体、第２の枠体部分１４Ｂ及び第２のレフレクタ部分１２Ｂに対して、着脱可能であり移動可能とされている。
【００２０】
図５に示されている様に、枠体１４の内部空間１４ｓには一次光源４への給電のための機器としての安定器１９が配置されている。この機器は第２の枠体部分１４Ｂに取り付けられている。該第２の枠体部分１４Ｂには、給電用コードを通す穴２２が形成されている。尚、図示はしないが、第１の枠体部分１４Ａと第２の枠体部分１４Ｂとを係合状態に維持して施錠するための手段を設けておくことができる。
【００２１】
図２〜図４に示されているように、枠体１４には、内部空間１４ｓ内にて第１の枠体部分１４Ａ及び第２の枠体部分１４Ｂへの分割部分（即ち第１の枠体部分１４Ａと第２の枠体部分１４Ｂとの分割線を形成する部分）に沿って延びる樋を形成するための樋部材４０が設けられている。該樋部材４０は、枠体１４の上辺部分及び左右両辺部分にわたって連続して形成されている。樋部材４０は、第２の枠体部分１４Ｂの外側周壁（即ち最外周面を形成する壁）の内面に近接または当接するようにして第２の枠体部分１４Ｂに取り付けられており、外方に向け凹の断面形状の溝を有する。樋部材４０としては、例えばステンレススチール板を曲げ加工して得たものを使用することができる。また、枠体としてはアルミニウムからなるものを使用することができ、第２の枠体１４Ｂに対する樋部材４０の取り付けは、例えばビス止め等により行うことができる。なお、本実施形態では、樋部材４０は、枠体１４の上辺部分及び左右両辺部分にわたって連続して形成されているが、枠体１４の上辺部分と左右両辺部分のいずれか一方に形成してもよい。
【００２２】
第１の枠体部分１４Ａには、樋部材４０に当接するシール部材４２，４３が付設されている。図２に示されているように、シール部材４２は、第１の枠体部分１４Ａの外側周壁の内面に取り付けられており、その一部が第２の枠体部分１４Ｂの外側周壁の外面に当接し、他の一部がその先端縁で樋部材４０の溝の側壁内面に当接する。また、図３に示されているように、シール部材４３は、第１の枠体部分１４Ａの外側周壁の内面に形成されたリブに取り付けられており、樋部材４０の溝の側壁外面に当接する。図２及び図３に示されているように、これらシール部材４２，４３により樋がシールされる。
【００２３】
図６に示されているように、第１の枠体部分１４Ａの下辺部分には樋部材４０の端面に近接する位置に、内部空間１４ｓ内の液体を排出するための排液開口４６が形成されている。図示はされていないが、第１の枠体部分１４Ａの下辺部分には、右辺部分に近接する位置にも同様な排液開口が形成されている。なお、排液開口は、樋部材が左右辺部のいずれか一方に形成されている場合には、樋部材が形成された側の樋部材の端面に近接する位置に形成されればよい。
【００２４】
強い降雨などで、枠体上辺部分の第１の枠体部分１４Ａと第２の枠体部分１４Ｂとの分割部分から内部空間１４ｓ内に浸入した水などの外部液体は、樋部材４０を含んで形成される樋を伝って左右両辺部の樋へと導かれる。枠体左右両辺部分の第１の枠体部分１４Ａと第２の枠体部分１４Ｂとの分割部分から内部空間１４ｓ内に浸入した水などの外部液体は、樋部材４０を含んで形成される樋を伝って、上記上辺部分から到来する液体と共に、下方へと流下する。そして、枠体左右両辺部分の樋の下端から流下する液体は、排液開口４６から枠体外部へと排出される。
【００２５】
排液開口４６には、外部からゴミなどが内部空間１４ｓへと浸入するのを防止するために、フィルターを付してもよい。また、枠体下辺部分には、樋から流下する液体を排液開口４６へと導器及び／または外部へと効率的に導出するためのガイドを形成してもよい。
【００２６】
以上のように、第１の枠体部分１４Ａと第２の枠体部分１４Ｂとの分割部分に防水材を固着する等の特別の対策を施すことなしに、内部空間１４ｓ内に浸入した水などの外部液体を、一次光源等の電気部品や導光体などの光学部品と接触させることなく、枠体１４外へと迅速に排出することができる。尚、樋は枠体上辺部分にのみ形成してもよい。この場合でも、樋から左右両辺部分に供給される液体を枠体１４の外側壁内面などを伝って流下させることができ、同様の機能を発揮させることができる。
【００２７】
図２〜図４に示されているように、第２の枠体部分１４Ｂの内側周縁と光反射面部材８との間及び支持部１８と透明保護板１６との間は、防水材４４により固着されている。これにより外部液体の導光板２への浸入を阻止している。
【００２８】
図７は、本実施形態における一次光源４の交換の際の動作説明のための一部省略分解断面図である。一次光源４の交換に際しては、先ず係合フック２４を含む係合手段による第１の枠体部分１４Ａと第２の枠体部分１４Ｂとの係合を解除し、第１の枠体部分１４Ａの下辺部分を前方へと引っ張り、更に枠体上辺部分において係合凹部１４Ｂ１から係合凸部１４Ａ１を離脱させて、第１の枠体部分１４Ａ及び第１のレフレクタ部分１２Ａを第２の枠体部分１４Ｂ及びこれに対して固定されている部分から分離させて、取り外す。このようにして第１の枠体部分１４Ａ及び第１のレフレクタ部分１２Ａを取り外した状態では、図７には示されていないが、一次光源４は正面側の半分が露出されるので容易に交換することが可能である。一次光源４の交換の後に、取り外しの時と逆の手順で第１の枠体部分１４Ａ及び第１のレフレクタ部分１２Ａを第２の枠体部分１４Ｂ及びこれに対して固定されている部分に装着する。以上の一次光源４の交換作業は、第１の枠体部分１４Ａと第２の枠体部分１４Ｂとの間が防水材により固着されていないので、その剥離及び再固着が不要であり、作業は容易に行うことができる。
【００２９】
以上の実施形態では樋部材４０が第２の枠体部分１４Ｂに取り付けられているが、本発明においては樋部材を第１の枠体部分に取り付けてもよい。
【００３０】
以上の様な面光源装置において、光拡散板６と透明保護板１６との間の隙間を、光透過性表示板の配置のための領域として利用することで、装置を表示装置として使用することも可能である。これによれば、上記図７に関して説明した様な一次光源４の交換のための作業と同様な作業により、光透過性表示板の交換をも容易に行なうことができる表示装置が提供される。なお、図７において、光透過性表示板を符号３０で示す。即ち、図７の装置は、本発明による面光源装置を用いた表示装置の一実施形態でもある。光透過性表示板３０としては、例えば、表示装置が案内標示板や交通標示板等の標示板である場合には所要の表示内容を、また表示装置が広告板である場合には写真その他を用いた所要の表示内容を、それぞれ光透過率の差及び色彩等の差により表示する様なプラスチック性の板状体、シートまたはフィルムなどを用いることができる。
【００３１】
また、一次光源４は、導光体２の一つの端面に隣接して配置してもよいし、３つ以上の端面に隣接して配置することもできる。
【００３２】
【発明の効果】
以上説明したように、本発明によれば、一次光源交換の作業が容易で、一次光源等の電気部品や導光体等の光学部品に外部液体がかかるのを防止し、もって屋外でのエッジライト型面光源装置及びそれを用いた表示装置の長期にわたる使用を可能にすることができる。
【図面の簡単な説明】
【図１】本発明による面光源装置の一実施形態を示す一部省略正面図（ａ）及び側面図（ｂ）である。
【図２】図１の面光源装置の正面中央縦断面図である。
【図３】図１の面光源装置の部分横断面図である。
【図４】図１の面光源装置の部分分解横断面図である。
【図５】図１の面光源装置の一部省略正面図である。
【図６】図５の部分拡大斜視図である。
【図７】図１の面光源装置の動作説明図である。
【符号の説明】
２    導光板
２ａ    光入射端面
２ｂ    光出射面
２ｃ    裏面
４    一次光源
６    光拡散板
８    光反射面部材
１２    レフレクタ
１２Ａ    第１のレフレクタ部分
１２Ｂ    第２のレフレクタ部分
１４    枠体
１４Ａ    第１の枠体部分
１４Ａ１    係合凸部
１４Ｂ    第２の枠体部分
１４Ｂ１    係合凹部
１４Ｂ３    固定具
１４Ｂ４    固定具
１４ｓ    内部空間
１６    透明保護板
１８    支持部
１９    安定器
２２    給電用コード挿通穴
２４    係合フック
３０    光透過性表示板
４０    樋部材
４２，４３    シール部材
４４    防水材
４６    排液開口
【図１】
2004335198.tif 000003
【図２】
2004335198.tif 000004
【図３】
2004335198.tif 000005
【図４】
2004335198.tif 000006
【図５】
2004335198.tif 000007
【図６】
2004335198.tif 000008
【図７】
2004335198.tif 000009